(57)【要約】【課題】  電源や高価な設備を要さずきわめて廉価に提供することが可能であるばかりか、嵩張ることなく、保管や運搬性に優れ、多人数が集合するパーティなどにおいても興味を与える。【解決手段】  少なくとも一部に抽選表示部３１を連通状態で突出した気密な袋体３と袋体３の内部を膨らませために袋体３に付設された気体導入部材４とを有し、抽選表示部３１を袋体３内に折り込むとともに折り返し部３２を仮止めした抽選部材２の複数からなり、複数の抽選部材２が互いに外観上区別可能な複数種類の前記抽選表示部３１を有している。【選択図】    図１
2007135698.tif 000002
【特許請求の範囲】
【請求項１】
少なくとも一部に抽選表示部を連通状態で突出した気密な袋体と前記袋体の内部を膨らませために前記袋体に付設された気体導入部材とを有し、前記抽選表示部を前記袋体内に折り込むとともに折り返し部を仮止めした抽選部材の複数からなり、且つ前記複数の抽選部材が互いに外観上区別可能な複数種類の前記抽選表示部を有していることを特徴とする抽選具。
【請求項２】
前記抽選具を構成する各抽選部材の抽選表示部は、互いに色彩、模様、文字、記号などの平面的な表示が互いに異なることにより外観上区別可能な請求項１記載の抽選具。
【請求項３】
前記抽選具を構成する各抽選部材の抽選表示部は、互いに形態による立体的な表示が互いに異なることにより外観上区別可能な請求項１または２記載の抽選具。
【請求項４】
前記抽選具を構成する各抽選部材の抽選表示部は、袋体に表示されたもう１つの抽選表示部と一体的に表示されている請求項１，２または３記載の抽選具。
【請求項５】
前記抽選具を構成する各抽選部材の折り込み部に飛散部材が保持されている請求項１，２，３または４記載の抽選具。
【請求項６】
前記袋体の内部を膨らませために前記袋体に付設された気体導入部材が、前記袋体に先部を封入した逆止弁付きの吹き込み管である請求項１，２，３，４または５記載の抽選具。
【請求項７】
前記袋体の内部を膨らませために前記袋体に付設された気体導入部材が、前記袋体内に予め収容されて外部から反応開始が可能な化学的気体発生部材である請求項１，２，３，４，５または６記載の抽選具。
【発明の詳細な説明】
【技術分野】
【０００１】
本発明は、くじや景品の抽選、福引などのように当たりやはずれ或いは当たりの等級を決定する際に用いられる抽選具に関するものである。
【背景技術】
【０００２】
従来、くじや景品の抽選、福引などのように当たりやはずれ或いは当たりの等級を決定する際に用いられる抽選具として、カードや三角くじのような紙製のもの、福引具やパチンコ機械のような玉を用いもの、矢などの投てき具を用いたもの、更にはコンピュータを用いたものなどが知られている。
【０００３】
ところが、前記従来の抽選具は、紙製のものは廉価に提供することは可能であるが派手さがなくパーティなどにおいて使用するには向かない。また、福引具のような玉を用いるものは旧い感じがする。更に、弓矢やダーツのような投てき類は比較的大きなスペースが必要であるばかりか、場合によっては危険も伴う、更にまた、コンピュータを用いたものは電源が必要で簡易でなく、設備に費用が掛かり、多人数において使用するには大型の表示部材が必要であるなどの問題点がある。
【発明の開示】
【発明が解決しようとする課題】
【０００４】
本発明は前記の実情に鑑みてなされたものであり、電源や高価な設備を要さずきわめて廉価に提供することが可能であるばかりか、福引具のような嵩張る道具も必要でなく、保管や運搬性に優れ、多人数が集合するパーティなどにおいても興味を与え、場所もとらない、従来存在しなかった優れた抽選具をを提供することを課題とするものである。
【課題を解決するための手段】
【０００５】
前記課題を解決するために、本発明である抽選具は、少なくとも一部に抽選表示部を連通状態で突出した気密な袋体と前記袋体の内部を膨らませために前記袋体に付設された気体導入部材とを有し、前記抽選表示部を前記袋体内に折り込むとともに折り返し部を仮止部材で仮止めした抽選部材の複数からなり、且つ前記複数の抽選部材が互いに外観上区別可能な複数種類の前記抽選表示部を有していることを特徴とする。
【０００６】
袋体を膨らませ、例えば手で掴んで一揆に潰すことにより、仮止部が瞬時に解放して折り返してあった抽選表示部が破裂音とともに突出する。このとき、抽選表示部の外観が抽選結果を顕著に表示するので遠くからも容易に確認できる。
【０００７】
前記抽選具を構成する各抽選部材の抽選表示部が、互いに色彩、模様、文字、記号などの平面的な表示が互いに異なることにより外観上区別可能な場合には同一の形態により製造が容易で多量生産も可能であり、廉価に提供することができる。
【０００８】
また、前記抽選具を構成する各抽選部材の抽選表示部は、互いに形態による立体的な表示が互いに異なることにより外観上区別可能とした場合には、瞬時に当たりが視覚により遠くからも確認可能であり、前記抽選具を構成する各抽選部材の抽選表示部は、袋体に表示されたもう１つの抽選表示部と一体的に表示されている場合や前記抽選具を構成する各抽選部材の折り込み部に飛散部材が保持されているには、更に興味を増すことができる。
【０００９】
加えて、前記袋体の内部を膨らませために前記袋体に付設された気体導入部材が、前記袋体に先部を封入した逆止弁付きの吹き込み管である場合には、口で吹いて、或いは簡易な空気入れなどにより袋体を膨らませることができるので容易にしようすることが可能であり、更に、前記袋体を膨らませために前記袋体に付設された気体導入部材が、前記袋体内に予め収容されて外部から反応開始が可能な化学的気体発生部材である場合には手で簡単に袋体を膨らませることができる。
【発明の効果】
【００１０】
本発明によると、電源や高価な設備を要さずきわめて廉価に提供することが可能であるばかりか、福引具のような嵩張る道具も必要でなく、多人数が集合するパーティなどにおいても興味を与え、場所もとらない、従来存在しなかった優れた抽選具を提供することができる。特に、軽量部材で構成できるとともに膨らませるまでは薄い形状であることから  運搬や保管にも便利である。
【発明を実施するための最良の形態】
【００１１】
次に、図面を参照して本発明の実施の形態を説明すると、図１（ａ）および（ｂ）は本発明の抽選具を構成する抽選部材２の好ましい実施形態の１つを示すものであり、抽選部材２は例えば塩化ビニールなどの気密性を有する適宜の可撓性を有するシート材により形成された正面が逆台形を呈する薄形を呈する袋体３の頂部に形成される端縁に沿って正面が台形を呈する気密な袋体からなる抽選表示部３１が連通状態で突出されているとともに、抽選表示部３１が袋体３内に折り込まれた折り返し部３２を例えば中央にミシン目などからなる亀裂部を設けた（図示せず）接着テープなどからなる仮止部材３３で仮止めされている。尚、本発明では折り返し部３２が仮止めされていればよく、例えば袋体３自身が熱可塑性を有するものである場合には袋体３の折り返し部３２を互いに溶着により添着させてもよく、この場合には仮止部材３３を必要とせず、部品点数が少なくて良く経済的に有利である。
【００１２】
また、前記袋体３の折り返し部３２には、袋体３内に気体を導入するための気体導入部材４が付設されている。この気体導入部材４は本実施の形態では先部に逆止弁４１を有する管状体４２からなり、袋体３の外部に突出した吹込口４３を利用して口や空気入れなどにより空気などを吹き込むものである。
【００１３】
尚、図１（ｃ）は本発明の抽選具を構成する抽選部材２の異なる実施の形態を示すものであり、前記図１（ａ）および（ｂ）に示した抽選部材２の好ましい実施形態と気体導入部材４が異なり、袋体３内に液密で機械的な衝撃や破壊行為により比較的簡単に破けやすい薄手のシート材により形成された小袋にクエン酸のような酸性溶液を詰めた反応剤４４と粉末状の炭酸水素ナトリウム（重曹）からなる反応剤４５とからなる化学的気体発生部材４６からなり、使用に際しては袋体３の外部から小袋を破壊して反応剤４４と４５とを反応させて炭酸ガス（二酸化炭素）を発生させる点が異なり、空気を吹き込むことなく袋体３を膨らませることができるので迅速に且つ容易に準備ができる利点を有している。
【００１４】
本実施の形態は、図２に示すように、気体導入部材４を用いて袋体３を膨らませ、例えば手で握って、瞬時に潰すことにより、仮止部材３３を一揆に破砕して袋体３に折り込んであった抽選表示部３１が破裂音とともに突出させ、露出した抽選表示部３１の外観により抽選結果を判断するものである。このとき、袋体３に折り込んであった抽選表示部３１は突出させるまでは仮止部材３３により閉止状態にあり、予め覗いたり、突出させたりすることができないので抽選の公平性を担保することができる。
【００１５】
図３は前記図１および図２に示した抽選部材２を用いた抽選具１についての実施の形態を示すものであり、抽選表示部３１として色彩を変化させた場合を示すものであり、例えば、赤色の抽選表示部３１を有する抽選部材２Ａ、黒色の抽選表示部３１を有する抽選部材２Ｂ、白色の抽選表示部３１を有する抽選部材２Ｃを組み合わせたものである。
【００１６】
本実施形態によれば、抽選部材２Ａ，２Ｂ、２Ｃの何れかを選んで抽選表示部３１を露出させることにより抽選表示部３１の色彩を基に瞬時に抽選結果が判別できる。
【００１７】
また、図４は抽選表示部３１に異なる番号、例えば抽選の等級を表示したものであり、当たりの等級が瞬時に判断することができる。
【００１８】
このように、抽選表示部３１に、色彩、模様、文字、記号などの平面的な表示が互いに異なることにより外観上区別可能なものであればよく、これらの場合には、同一形状の抽選部材２（図１参照）において抽選表示部３１の図柄等だけを変化させればよく、製造が容易で廉価に提供することができる。尚、平面的な表示であればよく、図柄の種類、表示手段は問わない。
【００１９】
また、図５は、抽選表示部３１を例えばドーム形にしたもの（図５（ａ））、台形としたもの（図５（ｂ））のように、形状を変化させたものであり、当たりや等級が遠くからも瞬時に判断することができるのでパーティなどにも最適である。
【００２０】
尚、本実施形態では、ドーム形や台形などの幾何学的な形状としたが、例えば、人物やキャラクターなど形状は問わない。
【００２１】
更に、図６に示すものは、抽選具１を構成する各抽選部材２Ａ，２Ｂの抽選表示部３１が、袋体３に表示されたもう１つの抽選表示部３４と一体的に表示されているものであり、例えば抽選部材２Ａ，２Ｂの袋体３に亀の胴部が記載されており、抽選部材２Ａの抽選表示部３１には亀の頭部が、抽選部材２Ｂの抽選表示部３１には兎の頭部が表示されて射るようにしておき、いずれの亀の場合には当たりで、異なる場合は外れとする等のように使用するものである。
【００２２】
本実施形態は、袋体３における抽選表示部３４を同一のものを表示する必要もなく、また、本実施形態は抽選表示部３１を平面的な図柄を用いたが、前記図５に示すように立体的な形状について変化させるものであってもよい。
【００２３】
更にまた、前記各抽選部材２の折り込み部３２に例えば登録実用新案第３０８５５２３号公報、登録実用新案第３０９１２６３号公報等に提示されているように飛散部材を保持させてもよく（図示せず）、これらの場合には破裂音とともに、テープや紙吹雪などの飛散物が飛散するので更に興味を増すことができる。
【００２４】
尚、前記各実施形態は、いずれも手で握って潰せる台形を呈する袋体３を有する抽選部材２を用いた場合を示したが、袋体の大きさや形状、模様などの外観は特に限られるものでなく、例えば、拳銃形、帽子形、ぬいぐるみ形など各種の形状が用いられる。
【図面の簡単な説明】
【００２５】
【図１】本発明である抽選具に用いられる抽選部材の好ましい実施の形態を示すものであり、図１（ａ）は膨らます前の正面図、図１（ｂ）は側面図、図１（ｃ）は異なる気体導入部材を用いた膨らます前の正面図。
【図２】図１に示した抽選部材の使用状態を示す説明図。
【図３】図１および図２に示した抽選表示部材を用いた本発明である抽選具の実施の形態を示す正面図。
【図４】図１および図２に示した抽選表示部材を用いた本発明である抽選具の実施の形態を示す正面図。
【図５】図１および図２に示した抽選表示部材を用いた本発明である抽選具の異なる実施の形態を示す正面図。
【図６】図１および図２に示した抽選表示部材を用いた本発明である抽選具の更に異なる実施の形態を示す正面図。
【符号の説明】
【００２６】
１  抽選具、２，２Ａ，２Ｂ，２Ｃ  抽選部材、３  袋体、４  気体導入部材、３１  抽選表示部、３２  折り込み部
【図１】
2007135698.tif 000003
【図２】
2007135698.tif 000004
【図３】
2007135698.tif 000005
【図４】
2007135698.tif 000006
【図５】
2007135698.tif 000007
【図６】
2007135698.tif 000008